(57)【特許請求の範囲】
【請求項１】
遊技盤の遊技領域を落下する遊技球の落下方向に影響を及ぼす風車を備えた弾球遊技機において、
前記風車は、前記遊技領域に前後方向に沿って植設される風車釘と、前記風車釘により回動可能に軸支される回動部とを備え、
前記回動部は、
前記風車釘が挿通可能な挿通孔を、前端部に開設された入口から後端部に開設された出口に亘って貫設してなる軸受筒状部と、
該軸受筒状部の外周に放射状線上に延設された複数の羽根部と、
前記軸受筒状部の前端部に直交して設けられる装飾円板部と、で構成され、
前記挿通孔の内周面には、該内周面から前記軸受筒状部の外周面まで貫通してなる粉塵収容部が設けられた、
ことを特徴とする弾球遊技機。
【発明の詳細な説明】
【技術分野】
【０００１】
本発明は、遊技球の落下の方向に変化を及ぼす風車を備えた、弾球遊技機に関する。
【背景技術】
【０００２】
従来の弾球遊技機は、発射した遊技球が流下する遊技領域に、遊技球の落下の方向に変化を及ぼす為の、釘や風車を備えたものが一般的であった。特に風車に関しては、風車の円板部に着脱自在且つ図柄が付された装飾パネルを備えて、デザイン変更を容易にしたもの（例えば、特許文献１に記載の技術）や、球誘導部（羽根）よりも遊技盤側の位置に、遊技球の遊技盤側への移動を規制する誘導補助部材を備えることで、遊技球を好適な落下軌道に誘導し、遊技球が遊技領域をスムーズに流下し易くしたもの（例えば、特許文献２に記載の技術）等、様々な工夫が為されてきた。
【先行技術文献】
【特許文献】
【０００３】
【特許文献１】特開２００６−２９６５８５号公報
【特許文献２】特開２０１２−１８７２３１号公報
【発明の概要】
【発明が解決しようとする課題】
【０００４】
このような風車は、落下してきた遊技球を受け止める複数の羽根を軸受け部の外周に備えており、羽根が落下球を受け止めることで風車が回転するようになっている。風車が回転すると、落下球に対する羽根の角度が不定となるので、風車に対して同じ位置に遊技球が落下しても、該遊技球を多様な方向及び速度で誘導することが出来、遊技球の落下の方向に変化を及ぼす構成としては極めて顕著な効果を奏する装置である。このような効果は、風車が円滑に回転することにより奏し得るものである。
ところで、このように風車を円滑に回転させるためには、基本的に、風車釘と該風車釘が挿通される軸孔（挿通路、挿通孔）とが、好適な所謂「はめあい公差」に基づいて構成される必要がある。つまり、風車釘と軸孔（挿通路、挿通孔）の隙間が、過度に大きい場合には、回転する風車の回転中心が大きく偏心して（ぶれて）しまい、円滑に回転することが出来ない。よって、風車釘と軸孔（挿通路、挿通孔）の隙間を、適度に小さく設定する必要がある。
しかしながら、このように風車釘と軸孔（挿通路、挿通孔）の隙間を適度に小さく設定した風車であっても、一定期間稼働させると、風車の回転により風車釘や軸孔（挿通路、挿通孔）の内璧が摩耗して発生した粉塵や、遊技領域を飛び交う埃などが、前記隙間に堆積して目詰まりを起こし、円滑な回転を実現出来る期間を長期間維持することが出来なかった。
本願発明は係る課題に鑑みなされたものであって、円滑な回転を長期間に亘って維持することが可能な風車を具備してなる弾球遊技機を提供することを目的とした。
【課題を解決するための手段】
【０００５】
上記課題を解決するためになされた請求項１に係る発明は、遊技盤の遊技領域を落下する遊技球の落下方向に影響を及ぼす風車を備えた弾球遊技機に関するものである。
【０００６】
この弾球遊技機の、風車は、遊技領域に前後方向に沿って植設される風車釘と、風車釘により回動可能に軸支される回動部とを備え、回動部は、風車釘が挿通可能な挿通孔を、前端部に開設された入口から後端部に開設された出口に亘って貫設してなる軸受筒状部と、該軸受筒状部の外周に放射状線上に延設された複数の羽根部と、軸受筒状部の前端部に直交して設けられる装飾円板部と、で構成される。
さらに、挿通孔の内周面には、内周面から軸受筒状部の外周面まで貫通してなる粉塵収容部が設けられる。
【０００７】
このように構成することにより、風車の風車釘と挿通孔の隙間を適度に小さく設定して、一定期間稼働させたとしても、風車の回転により風車釘や挿通孔の内周面が摩耗して発生した粉塵や、遊技領域を飛び交う埃などは、粉塵収容部に堆積し、前記隙間に堆積して目詰まりを起こすことが無いため、円滑な回転を実現出来る期間をより長期間維持することが可能となる。
また、粉塵等を収容する粉塵収容部を、挿通孔の内周面に設けるので、風車の回転によって発生する遠心力で、回転中心から内周面より外側に向かって形成される粉塵収容部に、粉塵は変位して容易に収納可能となる。さらに、収納された粉塵は、前記遠心力によって粉塵収容部の最外側方向に向かって押しつけられ、強固に押し固められるので、前記隙間に逆流して目詰まりの原因となる危険性が低下する。
【０００８】
また、粉塵収容部は、風車の回転軸方向に沿って溝状に条設される構成が好適である。このように構成することで、軸受筒状部をプラスチック等で成形する場合には、加工を容易とすることが出来、コストダウンを図ることが可能となる。
【０００９】
また、粉塵収容部は、風車の回転中心から放射状線上に、複数箇所且つ均等な割り出し角度の位置に設ける構成が好ましい。これにより、風車の重心と回転中心とが一致するので、円滑な回転を実現し易くなる。但し、１箇所だけ設ける方法を採用しても構わない。
【００１０】
また、粉塵収容部は、挿通孔の入口又は出口から内部に進むに従って、回転中心から外側方向に向かって深く形成されるようにしても良い。このようにすることで、粉塵収容部が収容可能な容積が増加し、より多くの粉塵を収容できるので、更に長期間に亘って円滑な回転を維持することが可能となる。
【００１１】
また、粉塵収容部を溝状に形成する場合、挿通孔の入口から出口に向かって、螺旋状に形成するようにしても良い。このように構成することで、挿通孔の入口から出口に向けた直線状に形成される場合よりも、溝の全長が長くなることで、粉塵収容部が収容可能な容積が増加し、より多くの粉塵を収容できるので、更に長期間に亘って円滑な回転を維持することが可能となる。加えて、螺旋状に形成することで、粉塵収容部の溝状の形成が開始されるエッジと、風車釘との接する角度が、螺旋の角度となるため、抵抗が少なく引っ掛かることが無いことから、より円滑な回転を実現できる。
【００１２】
また、粉塵収容部は、挿通孔の入口又は出口に向かって連続した構成でなくても良い。例えば、断続的に構成されていても良い。また、挿通孔の入口付近だけ、或いは出口付近だけに設けるようにしても良い。また、入口付近及び出口付近だけに設けるようにしても良い。逆に、入口付近及び出口付近を除く部分にだけに設けるようにしても良い。粉塵収容部の設置箇所は、適宜、設定し得る。このようにすることで、粉塵収容部が粉塵を効果的に収納することが出来る箇所に自由に設定することが可能で、設計に自由度が向上する。
【００１３】
また、粉塵収容部を挿通孔の入口又は出口に向かって連続しない構成とした場合、例えば、挿通孔の内周面に所定の面積及び形状で凹部形成された複数の粉塵収容部を、点在させることも考えられる。このように構成しても、本発明の効果を奏することができる。
さらに、このように粉塵収容部を挿通孔の入口又は出口に向かって連続しない構成とした場合、所定の深さで底付きに形成するのではなく、そのまま軸受筒状部の外周面まで貫通して設けるようにしても良い。これにより、粉塵を風車の外部へ排出するので、風車釘と挿通孔の隙間に目詰まりすることがない。また、相当長期間に亘って稼働しても、粉塵収容部に粉塵が満杯になって逆流することがない。
【００１４】
なお、軸受筒状部は、少なくとも挿通孔の入口に前側凸部、又は挿通孔の出口に後側凸部を備えるようにしても良い。
【００１５】
このようにすることで、風車釘の首の部分が、挿通孔の入口に設けられた前側凸部に当接するので、軸受筒状部の前端部全体が当接するよりも、風車の回転による摩擦力が軽減され、円滑な回転を維持し易くすることができる。または、遊技領域の表面が、挿通孔の出口に設けられた後側凸部に当接するので、軸受筒状部の後端部全体が当接するよりも、風車の回転による摩擦力が軽減され、円滑な回転を維持し易くすることができる。
また、前側凸部と後側凸部の両方を備えることで、更に上記効果を奏し易くなる。
【００１６】
なお、軸受筒状部は、前端部を含む第１軸受部材と、後端部を含む第２軸受部材とを備え、第１軸受部材を第２軸受部材の前側端部に圧入して形成され、挿通孔は、第１軸受部材に設けられると共に風車釘の軸径と略同一径で形成される第１挿通孔部と、第２軸受部材に設けられると共に風車釘の軸径と略同一径で形成される第２挿通孔部と、該第２挿通孔部よりも大きな径で形成される第３挿通孔部と、により構成しても良い。
【００１７】
このようにすることで、風車釘を第１挿通孔部と第２挿通孔部で支持し、第３挿通孔部では支持しないので、挿通孔の第３挿通孔部に係る部分は摩擦力が生じることがなく、円滑な回転を実現可能となる。
【図面の簡単な説明】
【００１８】
【図１】第一実施形態におけるパチンコ機の正面図である。
【図２】第一実施形態における遊技盤の正面図である。
【図３】第一実施形態における風車の正面図及び側面図である。
【図４】第一実施形態における風車の組み付け状態及び分解状態を示す概略斜視図である。
【図５】第一実施形態における風車の前側凸部及び後側凸部を示す概略図である。
【図６】第一実施形態における風車の取り付け状態を示す概略断面図である。
【図７】本発明の変形例における第１軸受部材を示す概略図である。
【発明を実施するための形態】
【００１９】
以下、本発明の実施形態について図面を用いて説明する。なお、本発明の実施の形態は、下記の実施形態に何ら限定されることはなく、本発明の技術的範囲に属する限り種々の形態を採りうる。
【００２０】
［第一実施形態］
先ず、  図１を参照して第一実施形態の弾球遊技機としてのパチンコ機５０の全体構成を説明する。
なお、以下の各図面を参照した説明において、方向、向き、及び位置関係等を示す場合には、遊技機設置島に設置されて且つ遊技者に対向して位置するパチンコ機５０（図１に示す状態）を基準として、向かって右方向を、右、右側、右側方、右側方向、右方向等として説明する。
また、向かって左方向を、左、左側、左側方、左側方向、左方向等として説明する。
また、パチンコ機５０（図１に示す状態）を基準として、天井方向を、上、上側、上方、上方向等として説明する。
また、パチンコ機５０（図１に示す状態）を基準として、床向を、下、下側、下方、下方向等として説明する。
また、パチンコ機５０（図１に示す状態）を基準として、遊技者（手前）側の方向を、前、前側、前方、前方向、手前、手前側、手前側方向、表、表側、表方、表方向等として説明する。
さらに、パチンコ機５０（図１に示す状態）を基準として、遊技機設置島の内部側の方向を、後、後側、後方、後方向、奥、奥側、奥方、奥方向、裏、裏側、裏方、裏方向等として説明する。
このように、以下の図面説明では、個々に視点及び視座が変化しても、該規定した方向に関する用語に基づいて説明を行うものとする。なお、部位の説明等において、上記記載の用語に、「部」や「面」等の用語を複合して記載した場合でも、方向に関しては、無論、上記規定に遵うものである。
【００２１】
図１に示すように、第一実施形態の弾球遊技機としてのパチンコ機５０は、縦長の固定外郭保持枠をなす外枠５１にて各構成を保持する構造を有している。外枠５１の左側上には、ヒンジ５３ｂが、左側下にはヒンジ５３ａが設けられており、ヒンジ５３ａ及び５３ｂにより、板ガラス６１が嵌め込まれた前枠（ガラス枠）５２及び該前枠５２の後方に位置する内枠６０が、外枠５１に対し開閉可能に構成される。また、前枠５２の板ガラス６１の奥には、内枠６０に保持された遊技盤１０１（図２参照）が設けられている。
【００２２】
前枠５２の上部の左右両側にはスピーカ６６が設置されており、これらにより遊技音が出力され、遊技の趣向性を向上させる。また前枠５２には、遊技状態に応じて発光する枠側装飾ランプ６５のほか、遊技の異常を報知するＬＥＤが設けられている。
【００２３】
前枠５２の下部には、上皿５５と下皿６３とが一体に形成されている。また、下皿６３の右側には発射ハンドル６４が設けられており、該発射ハンドル６４を時計回りに操作することにより発射装置が作動し、上皿５５から供給された遊技球が遊技盤１０１に向けて発射される。
【００２４】
下皿６３は、上皿５５から溢れた賞球を受けるよう構成されており、球抜きレバーを操作することで、下皿６３に溜まった遊技球を遊技店に備えられたドル箱に移すことができる。また、上皿５５の中央には、演出ボタン６７及びジョグダイヤル６８が設けられている。
【００２５】
本パチンコ機５０は、いわゆるＣＲ機であり、プリペイドカードの読み書きを行うプリペイドカードユニット（ＣＲユニット）５６が付属されていると共に、上皿５５の右側には球貸ボタン５７，精算ボタン５８，残高表示器５９が設けられている。
【００２６】
なお、図１の３９は、前枠５２及び前記内枠６０を外枠５１にロックするシリンダ錠であり、該シリンダ錠３９に所定の鍵を挿入して鍵を時計回りに操作すると、内枠６０が開放され、反時計回りに操作すると、前枠５２が開放される。
【００２７】
また、パチンコ機５０の前面且つ最下部には、横長平板状に形成され且つ図示意匠が施されてなる幕板５４が設けられ、パチンコ機５０の装飾性を向上させている。該幕板５４は、外枠５１の下部且つ前面に取付けられる。
【００２８】
また、図２に示すように、遊技盤１０１には、レール１０２によって囲まれた略円形の遊技領域１０３が形成されている。遊技領域１０３の前面側には、その中央部にセンターケース１０５が装着され、センターケース１０５に向かって左横には、普通図柄作動ゲート１１７が設置されている。普通図柄作動ゲート１１７を遊技球が通過すると、普通図柄の当否抽選用の複数種類の乱数が抽出され、抽出された乱数に基づく当否判定（普通図柄抽選）が行なわれる。
【００２９】
センターケース１０５の直下には、遊技球の入球に起因して、特別図柄（特図とも記載）の変動表示を伴う大当り抽選が行われる第１始動口１１１及び第２始動口１１２が、上下に並んで配設されている。本パチンコ機５０は、第１始動口１１１への入球と、第２始動口１１２への入球により変動する１つの特別図柄を備える。第１始動口１１１は、常時遊技球が入球可能に構成されているが、第２始動口１１２は、普通図柄抽選での当選により開放される普通電動役物として構成されており、開放時のみ入球可能となっている。
【００３０】
第１始動口１１１，第２始動口１１２に遊技球が入球すると、特図に対応する複数種類の乱数が抽出され、保留記憶として記憶される。
普通電動役物として構成された第２始動口１１２は、普通図柄抽選での当選時に、所定時間の開放が行われる。
【００３１】
第２始動口１１２の下方には、大当り抽選で当ると行われる大当り遊技の際に開放される特別電動役物からなる大入賞口１１４が配設されている。また、遊技領域１０３における向かって左下の領域には、複数の一般入賞口１３１〜１３４が配設されている。
【００３２】
遊技盤１０１における向かって右下の領域には、７セグメントの特図表示装置４１と、４個のＬＥＤからなる特図保留数表示装置４２と、２個のＬＥＤからなる普通図柄表示装置４３と、４個のＬＥＤからなる普図保留数表示装置４４が設置されている。
【００３３】
図２に示す遊技盤１０１のセンターケース１０５には、中央に演出図柄表示装置３６（全体の図示は省略）のＬＣＤパネルが配設され、ＬＣＤパネルの画面上では、演出図柄の変動表示や各種報知表示等を行うことで、特図に対応する大当り抽選の結果を報知する図柄演出や各種報知演出が行われる。
【００３４】
また、センターケース１０５には、周知のものと同様にワープ入口、ワープ樋、ステージ等が設けられている。
なお、遊技盤１０１の遊技領域１０３には多数の遊技釘１０４が植設されており、盤面最下部にはアウト口が設けられている。発射された遊技球は、遊技領域１０３に到達すると、遊技釘１０４等に衝突することで流下（落下）方向を変化させつつ、上記各種入賞口等に入球し、或いは入球しなかった場合には、アウト口に流入して機内に取り込まれるようになっている。
【００３５】
さらに、遊技盤１０１の遊技領域１０３の図示左側領域には、上記遊技釘１０４と同様に、遊技球の落下方向に変化を与える、風車７０を備える。風車７０は、本発明の要部を備えており、以下、風車７０について説明する。
【００３６】
図３及び図４を参照して、先ず、風車７０の概略構成について説明する。
図３及び図４（Ａ）に示すように、風車７０は、風車釘７１と、該風車釘７１に回動可能に枢設（軸支）される風車基体７２と、該風車基体７２の前面側に圧入して取り付けられると共に風車基体７２の回動に伴い回動する前軸受部材７３を備える。
【００３７】
風車釘７１は、後で詳述するが、前軸受部材７３の第１挿通孔部８８及び風車基体７２の第２挿通孔部７７に挿通されて、遊技盤１０１の遊技領域１０３に対して前方から植設される。
【００３８】
風車基体７２は、略筒形状に形成された後軸受部材７４と、該後軸受部材７４の外周面から外側方向に延設される３箇所の羽根部７６と、該羽根部７６及び後軸受部材７４の前方位置にて後軸受部材７４の前側端面部に対して直交するように設けられる略円板形状の装飾円板部７５と、を備える。
【００３９】
本実施形態の３箇所の羽根部７６は、図３の正面図に示すように、略薄板状に形成されると共に風車７０の回転軸芯を中心として割り出し角度を１２０度に均等割りした位置に設けられている。
【００４０】
また、本実施形態の装飾円板部７５は、前面側の中央が後方に向かって擂り鉢状に形成されており、該擂り鉢状の底近傍に後軸受部材７４の前側端部が露出するように構成されている。
【００４１】
図４（Ｂ）及び（Ｃ）を参照して、風車７０の構成について、より具体的に説明すると共に、風車釘７１、風車基体７２及び前軸受部材７３の組み立て手順も説明する。
風車釘７１は、略半球形状に形成される釘頭部７１ａと、該釘頭部７１ａの平面部から図示後方に向かって延設されると共に所定の軸径の略円柱形状に形成されてなる釘胴部７１ｂとを備える。なお、釘胴部７１ｂの後端部は略円錐形状に形成される。
【００４２】
前軸受部材７３は、略段付筒状に形成される。具体的には、図示後端に圧入軸部８５を備え、該圧入軸部８５の図示前方に圧入軸部８５の軸径より大きな外径で形成されるフランジ部８６を備え、更に該フランジ部８６の図示前方に前側に向かって突出して略リング形状に形成される第１凸部８７を備える。
さらに、前軸受部材７３は、前後方向に沿って第１挿通孔部８８が穿設されている。該第１挿通孔部８８の内径は、風車釘７１の釘胴部７１ｂの前記所定の軸径よりも僅かに大きく、釘胴部７１ｂが第１挿通孔部８８の中で円滑に回転可能な大きさで形成されている。
【００４３】
風車基体７２は、後軸受部材７４の前側部分に、圧入孔部７９が穿設されている。該圧入孔部７９は、前記前軸受部材７３の圧入軸部８５の軸径より僅かに大きく、前軸受部材７３を圧入軸部８５に圧入して容易に抜け落ちることのない内径で形成されている。なお、圧入孔部７９は、後述する第３挿通孔部８０及び第２挿通孔部７７に連通しており、後軸受部材７４は前後方向に風車釘７１が挿通可能となっている。
風車基体７２を左後方から視た図である図４（Ｃ）を参照して、風車基体７２の後側部分の構成について説明する。上述した後軸受部材７４の後端部には、更に後側に向かって、突出して略リング形状に形成される第２凸部９２を備える。
さらに、後軸受部材７４は、前後方向に沿って、上述した第２挿通孔部７７が穿設されている。該第２挿通孔部７７の内径は、風車釘７１の釘胴部７１ｂの前記所定の軸径よりも僅かに大きく、釘胴部７１ｂが第２挿通孔部７７の中で円滑に回転可能な大きさで形成されている。
【００４４】
このような概略構成でなる風車釘７１、風車基体７２及び前軸受部材７３は、次のような組み立て手順により組み付けられることで風車７０を形成する。
すなわち、図４（Ｂ）を参照すると、先ず前軸受部材７３の圧入軸部８５を、風車基体７２の圧入孔部７９に対して前方から圧入する。次いで、風車釘７１の釘胴部７１ｂの円錐状に形成された後端部を、前軸受部材７３の第１挿通孔部８８から、後述する第３挿通孔部８０を介して、後軸受部材７４の第２挿通孔部７７に挿通し、後方に突き出すことで、図４（Ａ）の風車７０の状態に組み付けることが可能となっている。
また、このように風車７０が組み付けられた状態において、風車釘７１が挿通されると共に上述した第１挿通孔部８８、第３挿通孔部８０及び第２挿通孔部７７で構成される挿通孔は、前軸受部材７３の前端部すなわち第１凸部８７の前側端面に形成される挿通孔入口９０を始点として、後軸受部材７４の後端部すなわち第２凸部９２の後側端面に形成される挿通孔出口９１を終点として、構成される。
なお、このように組み付けられた状態で、風車釘７１の釘胴部７１ｂの円錐状に形成された後端部を、遊技盤１０１の遊技領域１０３の前方から後方に向かって植設することで、風車７０が遊技盤１０１に配設されるようになる（図６参照）。
【００４５】
本実施形態の風車７０は、以上説明したような概略構成を備えるものであるが、次に本発明の要部である第１粉塵収容部８９、第２粉塵収容部７８、第１凸部８７及び第２凸部９２の具体的な構成について、図５を参照して説明する。なお、第１凸部８７及び第２凸部９２の概略構成は、既に説明しているので、より詳細な構成について説明する。
図５（Ａ）は、前軸受部材７３の正面図及び側面図であり、図５（Ｂ）は、後軸受部材７４の後端部の側面図及び背面図である。
図５（Ａ）に示すように、前軸受部材７３は、前方視中央に上述した第１挿通孔部８８が、前方から後方に向かって貫通して設けられている。前軸受部材７３の前側端面部、換言すれば第１凸部８７の前側端面部には第１挿通孔部８８の入口となる挿通孔入口９０が形成される。
【００４６】
また、前軸受部材７３は、前方視第１挿通孔部８８よりも外側に向けて４箇所の第１粉塵収容部８９が設けられている。具体的には、４箇所の第１粉塵収容部８９は、前軸受部材７３の回転中心から上下左右（割り出し角度を均等に９０度とする）の放射状線上に沿った位置に、且つ前軸受部材７３の前端から後端に亘って直線状の溝形状に条設されてなる。本実施形態では、溝形状の深さは一定に形成されている。
【００４７】
さらに、前軸受部材７３は、上述したように、フランジ部８６の前端面から更に前方に向かって突出する第１凸部８７が突設されてなる。上述したように、第１凸部８７は、略リング形状に形成されている。また、本実施形態の第１凸部８７は、前軸受部材７３の回転中心から第１粉塵収容部８９の溝形状の底部までの長さよりも大きな半径で形成される。つまり、前方視した場合、第１凸部８７の円形領域の内部に、４箇所の第１粉塵収容部８９及び第１挿通孔部８８が設けられる。
更に第１凸部８７の大きさ（外径）について詳述する。第１凸部８７の外径は、組み付け状態にて該第１凸部８７の前側端面が当接する釘頭部７１ａの平面部（首部分）の外径よりも小さく形成されている（図６参照）。
なお、第１粉塵収容部８９を備えない実施例の場合には、第１凸部８７の外径は、釘頭部７１ａの平面部（首部分）の外径よりも小さく且つ、第１挿通孔部８８の外径よりも大きく形成されることが好ましい。
【００４８】
図５（Ｂ）に示すように、風車基体７２の後軸受部材７４は、後方視中央に上述した第２挿通孔部７７が、後方から前方に向かって貫通して設けられている。後軸受部材７４の後側端面部、換言すれば第２凸部９２の後側端面部には第２挿通孔部７７の出口となる挿通孔出口９１が形成される。
また、第２挿通孔部７７は、第２凸部９２の後側端面部から図示所定の深さで前方に向かって形成され、第２挿通孔部７７に連通して更に前方に向かって僅かに広がるテーパ状に第３挿通孔部８０が設けられている。第３挿通孔部８０の内径は、第２挿通孔部７７の内径よりも大きく、換言すれば釘胴部７１ｂの前記所定の軸径よりも大きく形成されてなる。上述したように、第３挿通孔部８０は、さらに前方の圧入孔部７９に連通している。
【００４９】
また、後軸受部材７４は、後方視第２挿通孔部７７よりも外側に向けて４箇所の第２粉塵収容部７８が設けられている。具体的には、４箇所の第２粉塵収容部７８は、後軸受部材７４の回転中心から上下左右（割り出し角度を均等に９０度とする）の放射状線上に沿った位置に、且つ後軸受部材７４の後端から前方に向けて（第２挿通孔部７７の前端まで）直線状の溝形状に条設されてなる。本実施形態では、溝形状の深さは一定に形成されている。
【００５０】
さらに、後軸受部材７４は、後端面から更に前方に向かって突出する第２凸部９２が突設されてなる。上述したように、第２凸部９２は、略リング形状に形成されている。また、本実施形態の第２凸部９２は、後軸受部材７４の回転中心から第２粉塵収容部７８の溝形状の底部までの長さよりも大きな半径で形成される。つまり、後方視した場合、第２凸部９２の円形領域の内部に、４箇所の第２粉塵収容部７８及び第２挿通孔部７７が設けられる。
組み付け状態にて該第２凸部９２の後側端面は、遊技領域１０３の前面部に当接する（図６参照）。
なお、第２粉塵収容部７８を備えない実施例の場合には、第２凸部９２の外径は、第２挿通孔部７７の外径よりも大きく且つ後軸受部材７４の外径より小さく形成されることが好ましい。
【００５１】
次に、本実施形態の風車７０の作用について、図６を参照して説明する。図６は、風車７０を遊技盤１０１に配設した状態を示す概略断面図である。
風車７０は、遊技領域１０３の前方且つ上方から流下してくる遊技球（図示しない）が羽根部７６に衝突すると、釘胴部７１ｂに枢設されて時計回り又は反時計回りに回転して、遊技球の落下方向を変更する。このように風車７０が回転すると、釘胴部７１ｂと第１挿通孔部８８又は第２挿通孔部７７との摩擦により発生する粉塵や、釘頭部７１ａの平面部（首部分）と第１凸部８７の前側端部との摩擦により発生する粉塵や、遊技領域１０３の前面部と第２凸部９２の後側端部との摩擦により発生する粉塵や、遊技領域１０３の前側且つ板ガラス６１の後側に形成される空間を浮遊する埃等が、釘胴部７１ｂと第１挿通孔部８８又は第２挿通孔部７７の隙間に入り込む。このような粉塵や埃は、回転による振動等によって、第１粉塵収容部８９や、第２粉塵収容部７８へ変位し、ここに収容される。
収容された粉塵等は、風車７０の回転による遠心力で外側すなわち釘胴部７１ｂと第１挿通孔部８８又は第２挿通孔部７７の隙間から離隔した位置に変位し、堆積する。
堆積した粉塵は、さらに遠心力により固められることで、容易に前記隙間の方向に向かって逆流し難くなる。
ゆえに、前記隙間に粉塵等が目詰まりすることなく、円滑な回転をより長期間に亘って持続することができる。
【００５２】
また、第１凸部８７の外径は、釘頭部７１ａの平面部（首部分）の外径よりも小さく形成されているので、両者が回転により当接しても平面部の全体が摩擦するよりも小さな摩擦力しか発生しないため、円滑な回転をより長期間に亘って持続することができる。
【００５３】
また、第２凸部９２の外径は、第２挿通孔部７７の外径よりも大きく且つ後軸受部材７４の外径より小さく形成されているので、第２凸部９２の後端部と遊技領域１０３の表面とが回転により当接しても、後軸受部材７４の外径で形成される端面が摩擦するよりも小さな摩擦力しか発生しないため、円滑な回転をより長期間に亘って持続することができる。
【００５４】
さらに、釘胴部７１ｂを支持する風車７０の軸受筒状部を、後軸受部材７４と前軸受部材７３で構成し、風車７０の釘の挿通孔を、前方から後方に向けて、釘胴部７１ｂの軸径と略同一で僅かに大きな内径で形成される第１挿通孔部８８、次いで、釘胴部７１ｂの軸径よりも（第２挿通孔部７７の内径よりも）大きく形成される第３挿通孔部８０、次いで、釘胴部７１ｂの軸径と略同一で僅かに大きな内径で形成される第２挿通孔部７７、で構成する。これにより、挿通孔部の内の第３挿通孔部８０に係る部位は、摩擦が生じず、円滑な回転をより長期間に亘って持続することができる。また、軸受筒状部を、後軸受部材７４と前軸受部材７３で構成するので、前端と後端でのみ支持する構成を、容易に形成できる。
【００５５】
［変形例］
図７を参照して本発明の変形例について説明する。本変形例は、上述した第一実施形態の構成とほぼ同様なので、本変形例に係る相違点のみ説明し、同様の構成は便宜上、割愛する。図７は、本発明の変形例における前軸受部材１７３を示す概略図である。
図７（Ａ）に示すように、前軸受部材１７３は、前方視中央に第１挿通孔部１８８が、前方から後方に向かって貫通して設けられている。
また、前軸受部材１７３は、前方視第１挿通孔部１８８よりも外側に向けて３箇所の第１粉塵収容部１８９が設けられている。具体的には、３箇所の第１粉塵収容部１８９は、前軸受部材７３の回転中心から割り出し角度を均等に１２０度とする放射状線上に沿った位置に、且つ前軸受部材１７３の前端から後端に亘って回転中心から外側に膨らむ曲線状の溝形状に条設されてなる。より具体的には、前後方向の中央部ほど、溝の深さが深く形成される。
このように構成されることで、前軸受部材１７３の前端から後端に亘って第１粉塵収容部１８９を溝形状に条設しても、第１粉塵収容部１８９の粉塵を収容可能な容積をより大きくすることが出来るので、さらに一層、円滑な回転をより長期間に亘って持続することができる。
なお、当該構成を、前軸受部材１７３のみでなく、後軸受部材にも採用しても良い。
【００５６】
以上、本発明に係る実施形態を説明してきたが、これに限定せず、本発明の技術範囲を逸脱しない限り、他の構成を採用しても構わない。
例えば、第１粉塵収容部及び第２粉塵収容部を、前後方向に向かって直線状に形成するものに限らず、溝状の粉塵収容部を、前後方向に向かって螺旋状に形成するようにしても良い。これにより、軸受筒状部の前端部から後端部までの区間において、溝状の粉塵収容部を直線状に形成するよりも、粉塵収容部の粉塵を収容可能な容積をより大きくすることが出来るので、さらに一層、円滑な回転をより長期間に亘って持続することができる。
なお、上述した実施形態及び変形例では、本発明の軸受筒状部を、前軸受部材（第１軸受部材）と後軸受部材（第２軸受部材）に分割して構成する例を示したが、これに限らず、分割しない１つの構成としても良い。このような状態でも、挿通孔の内周面に粉塵収容部を備えることで、本発明の効果を奏するものである。
【００５７】
［特許請求の範囲との対応］
上記実施形態の説明で用いた用語と、特許請求の範囲の記載に用いた用語との対応を示す。
【００５８】
風車基体７２に前軸受部材７３を組み付けた構成が、回動部に相当する。
【００５９】
第１挿通孔部８８、圧入孔部７９、第３挿通孔部８０、及び第２挿通孔部７７が、挿通孔に相当する。
【００６０】
前側凸部８７の前側端面部が、前端部に相当する。
【００６１】
挿通孔入口９０が、入口に相当する。
【００６２】
後側凸部９２の後側端面部が、後端部に相当する。
【００６３】
挿通孔出口９１が、出口に相当する。
【００６４】
前軸受部材７３及び後軸受部材７４を組み付けた構成が、軸受筒状部に相当する。
【００６５】
第１粉塵収容部８９及び第２粉塵収容部７８が、粉塵収容部に相当する。
【００６６】
第１凸部８７が、前側凸部に相当する。
【００６７】
第２凸部９２が、後側凸部に相当する。
【００６８】
前軸受部材７３が、第１軸受部材に相当する。
【００６９】
後軸受部材７４が、第２軸受部材に相当する。
【００７０】
第１凸部１８７が、前側凸部に相当する。
【００７１】
前軸受部材１７３が、第１軸受部材に相当する。
【符号の説明】
【００７２】
５０：パチンコ機
５１：外枠
６０：内枠
７０：風車
７１：風車釘
７１ａ：釘頭部
７１ｂ：釘胴部
７２：風車基体
７３：前軸受部材（第１軸受部材）
７４：後軸受部材（第２軸受部材）
７５：装飾円板部
７６：羽根部
７７：第２挿通孔部
７８：第２粉塵収容部
７９：圧入孔部
８０：第３挿通孔部
８５：圧入軸部
８６：フランジ部
８７：第１凸部（前側凸部）
８８：第１挿通孔部
８９：第１粉塵収容部
９０：挿通孔入口（入口）
９１：挿通孔出口（出口）
９２：第２凸部（後側凸部）
１０１：遊技盤
１０３：遊技領域
１７３：前軸受部材（第１軸受部材）
１８５：圧入軸部
１８６：フランジ部
１８７：前側凸部（第１凸部）
１８８：第１挿通孔部
１８９：第１粉塵収容部
【図１】
0006458215.tif 000002
【図２】
0006458215.tif 000003
【図３】
0006458215.tif 000004
【図４】
0006458215.tif 000005
【図５】
0006458215.tif 000006
【図６】
0006458215.tif 000007
【図７】
0006458215.tif 000008